(57)【特許請求の範囲】
【請求項１】
上翼板２と下翼板３とを肩口１０で案内柱４により連結し、上翼板２の上面に片持梁形の引手取付杆５を案内柱４上面から後口１１に向けて突設し、引手取付杆５の後口１１側が開放したダイカスト成形によるスライドファスナー用スライダーにおいて、引手取付杆５の基部に長手方向に貫通する空洞部１２を設け、空洞部１２は引手取付杆５の基部から先端の下面中央に突設した突部１４の基部に向けて設け、突部１４は空洞部１２の横幅と略同一幅で形成し、突部１４と上翼板２との間に空隙部１５を形成し、引手１７の取付環１８を空隙部１５から挿入して引手取付杆５を押圧塑性変形可能に形成したことを特徴とするスライドファスナー用スライダー。
【請求項２】
スライダー胴体１の上翼板２の上面と片持梁形の引手取付杆５の上面を成形するキャビティ２６を刻設した上型２０と、下翼板３の下面を成形するキャビティ２７を刻設した下型２１とを接離可能に配し、かつ上下型２０、２１の間に引手取付杆５の基部を貫通する空洞部１２と前面および側壁１３を成形する山形状の第１スライドコア２２、該スライドコア２２と当接し引手取付杆５の下端面の突部１４および引手取付杆５の下面を成形する凹形状の第２スライドコア２３を摺動可能に配し、前記第１、２スライドコア２２、２３および上型２０と摺接し、また下型２１上を摺動し案内柱４の前部、ガイド溝８およびガイドフランジ７の内側を成形する凹形状の第３スライドコア２４、該スライドコア２４と当接し、案内柱４の後部、ガイド溝８およびガイドフランジ７の外側を成形する山形状の第４スライドコア２５を摺動可能に配したことを特徴とするスライドファスナー用スライダーの成形金型。
【発明の詳細な説明】
【０００１】
【発明の属する技術分野】
この発明は、スライダー胴体上に片持梁タイプの引手取付杆を金属によるダイカスト成形手段によって一体成形し、引手取付杆の先端から引手の取付環を嵌挿した後、引手取付杆を押圧して塑性変形させ、引手を後付けする形態のスライドファスナー用スライダー、およびそのスライダーを成形するための成形金型に関するものである。
【０００２】
【従来の技術】
従来、引手を後付けする形態のスライドファスナー用スライダーは、スライダー胴体の上翼板の前端に片持梁タイプの引手取付杆を、後端が上翼板との間に間隙が生ずるように立設し、引手取付杆の後端の間隙から引手の取付環を嵌挿した後、引手取付杆を押圧して塑性変形させ、間隙を縮小して引手の脱落を防止し、各種の引手を後付けで取付けるスライダーである。
【０００３】
そして、この種の後付けタイプのスライダーの成形金型は、スライダー胴体の上翼板の上半部および片持梁タイプの引手取付杆を成形するための左右割型タイプの上型、また下翼板の下半部の外部を成形するための左右割型タイプの下型、さらに上型と下型の間に配装され、スライダー胴体の案内柱の前部、ガイド溝およびガイドフランジの内側を成形するため胴体の肩口側から挿入され前後に摺動する第１スライドコア、このコアと当接し案内柱の後部、ガイド溝およびガイドフランジの外側を成形するため胴体の後口側から挿入され前後に摺動する第２スライドコアから形成されたスライドファスナー用スライダーの成形金型が、実公平２−１２８８９号公報に開示されている。
【０００４】
【発明が解決しようとする課題】
前項で述べた従来の引手後付けの片持梁タイプの引手取付杆を有するスライダーは、引手を引手取付杆に嵌挿した後、引手取付杆の上面を押圧して引手取付杆の基部を塑性変形させる場合、大きな押圧力を必要とし、そのため基部にクラックが発生することがある。またスライダー胴体は勿論引手取付杆を含んだスライダーの縦方向中央にパーテイングラインが成形上必ず現出し、スライダーの外観上好ましくない面があるなど問題点がある。
【０００５】
さらに従来知られた引手後付けの片持梁タイプの引手取付杆を有するスライダーを成形する金型は、スライダー胴体を成形する金型の上下型が左右に型割れするため、胴体をはじめ引手取付杆の中央縦方向にパーテイングラインを発生し、スライダーの外観を見苦しくするものである。またこの形態の成形金型では引手取付杆を押圧して塑性変形する操作が容易に行えるスライダーに作製することが難しいなど問題点がある。
【０００６】
この発明は、上述の問題点を考慮して発明されたものであり、請求項１記載の発明は、ダイカスト成形に適したタイプのスライダーであり、スライダー胴体上面に突設した片持梁形の引手取付杆に引手の取付環を円滑かつ容易に嵌挿して引手取付杆を塑性変形させ、引手を簡単に装着することができ、しかもスライダー胴体の中央、勿論引手取付杆を含めた胴体表面にダイカスト成形によるパーテイングラインが現出されない美しい形態のダイカスト成形によるスライドファスナー用スライダーを提供することが主たる目的である。
【０００７】
請求項２記載の発明は、スライダー胴体のダイカスト成形時に発生するスライダー胴体表面のパーテイングラインを外観上目立たないように成形できるスライドファスナー用スライダーの成形金型であり、また引手取付杆の塑性変形が容易であり、しかも引手の装着および引手の脱却を簡易に防ぐことができるスライダーの成形に適したスライドファスナー用スライダーの成形金型を提供することが主たる目的である。
【０００８】
【課題を解決するための手段】
前記の目的を達成するため、この発明のうち請求項１記載の発明は、スライダー胴体１における上翼板２と下翼板３とを肩口１０で案内柱４により連結し、上翼板２の上面に片持梁形すなわち倒Ｌ字状の引手取付杆５を案内柱４の上面からスライダー胴体１の後口１１に向けて突設し、引手取付杆５の後口１１側が開放して空隙部１５が形成されたダイカスト成形によるスライドファスナー用スライダーにおいて、引手取付杆５の基部に長手方向に貫通する空洞部１２を設け、この空洞部１２は引手取付杆５の基部すなわち付根から先端すなわち後口１１側の下面中央に設けた突部１４の基部に向けて設け、突部１４は空洞部１２の横幅と略一致する同一幅で形成し、突部１４と上翼板２との間に空隙部１５を形成し、引手１７の取付環１８を空隙部１５から引手取付杆５に挿入し、引手取付杆５を押圧して塑性変形ができるように形成した引手後付けタイプのスライドファスナー用スライダーを主な構成とするものである。
【０００９】
請求項２記載の発明は、スライダー胴体１を成形する金型において、スライダー胴体１の表面における上翼板２の上面と、片持梁形の引手取付杆５の上面とを成形するキャビティ２６を刻設した上型２０、およびスライダー胴体１の裏面である下翼板３の下面を成形するキャビティ２７を刻設した下型２１とを接離可能に配設する。
【００１０】
この上型２０と下型２１との間に引手取付杆５の基部を貫通する空洞部１２と、引手取付杆５の前面および並立する側壁１３を成形する山形状の第１スライドコア２２、このスライドコア２２と当接し引手取付杆５の下端面に配設する突部１４および引手取付杆５の下面を成形する凹形状を呈する第２スライドコア２３とを相対向して摺動できるように配設する。
【００１１】
第１スライドコア２２、第２スライドコア２３および上型２０と摺接し、かつまた下型２１上を摺動しスライダー胴体１の案内柱４の前部、および胴体１内部のガイド溝８さらにガイドフランジ７の内側を成形する凹形状を呈する第３スライドコア２４、この第３スライドコア２４と当接し案内柱４の後部およびガイド溝８さらにガイドフランジ７の外側を成形する山形状を呈する第４スライドコア２５を摺動可能に配して組合せたスライドファスナー用スライダーの成形金型を主な構成とするものである。
【００１２】
【発明の実施の形態】
以下、この発明のスライドファスナー用スライダーとその成形金型の実施の形態について、図面を参照しながら具体的に説明する。
【００１３】
最初にスライドファスナー用スライダーについて説明すると、図１〜３に示す引手後付けタイプのスライドファスナー用スライダーは、スライダー胴体１がアルミニウム合金、亜鉛合金などの金属をダイカスト成形手段によって成形し、その形態はスライダー胴体１の上翼板２と下翼板３とを肩口１０側で案内柱４によって連結し、上翼板２の上面には片持梁形すなわち倒Ｌ字状の引手取付杆５が案内柱４の上面から後口１１に向けて突設されている。
【００１４】
上翼板２と下翼板３の両側縁にはファスナーエレメントをガイドするガイドフランジ７、７が上下に屈設され、その間にファスナーエレメントが滑動できるＹ字状のガイド溝８が形成されている。なおガイドフランジ７はファスナーエレメントのタイプによって、一方側の翼板のみに設置する場合がある。
【００１５】
スライダー胴体１の上翼板２上に突設された引手取付杆５は、案内柱４上の基部において胴体１の長手方向に貫通する四角状の透孔すなわち空洞部１２を貫設し、図２に示すように引手取付杆５の後端すなわち胴体１の後口１１側の下面に空洞部１２の横幅と略同一寸法幅で垂下状に突部１４が突設されている。
【００１６】
この引手取付杆５における空洞部１２は、図３に示すように基部から後端下面に設けた突部１４の基部すなわち付根まで引手取付杆５の下面に漸次減少する凹溝状で凹設されている。さらに突部１４が対向する上翼板２上には後口１１から突部１４の内端より少なくとも引手１７の取付環１８の肉厚、すなわち径Ｄの寸法よりも内側へおよぶ範囲まで凹設されている。
【００１７】
この凹陥部１６の形状は、図２に示すように引手１７の取付環１８の外周面と略合致する形状で、しかも突部１４と凹陥部１６との間の空隙部１５は、引手１７の取付環１８の肉厚すなわち径Ｄと同一寸法、あるいは僅かに大きな寸法で形成され、取付環１８が自由に通過嵌挿できるように形成され、一旦引手１７を起立させた状態で取付環１８を嵌挿すると、引手１７を倒伏させた状態では、凹陥部１６は直接関与することなく空隙部１５が狭小状態であるため、引手１７を引手取付杆５から脱却させることは難しい。したがって取付環１８を嵌挿したのち、引手取付杆５を多少なりとも押圧し塑性変形させれば引手１７は完全に脱却させることができない。
【００１８】
なお上翼板２の上面に凹陥部１６を必ずしも設ける必要はなく、平坦状の上翼板２であっても、引手１７の取付環１８が引手取付杆５の突部１４との間を通過嵌挿できる空隙部１５が形成されていればよい。
【００１９】
図４に示したスライダー胴体１は、上翼板２の上面に突設した片持梁形の引手取付杆５が、基部の上方から後口１１側に位置する後方端にかけて、平面形状において横幅が漸次縮小する先細状に形成し、引手１７の取付環１８の嵌挿操作が容易にできる引手取付杆５を備えたスライダー胴体１である。
【００２０】
図５に示したスライダー胴体１は、上翼板２の上面に突設した片持梁形の引手取付杆５における後口１１側の開放された後方端部を平面的に先端が円弧状を呈し、引手取付杆５の先端の肉を欠落させ突部が突出する状態に形成し、引手取付杆５の端部と上翼板２との間に引手１７の取付環１８が食い込み、引手１７が動かなくなるのを防止して引手操作が円滑にできるように形成したスライダーである。
【００２１】
また図６に示したスライダー胴体１は、上翼板２上に設けた片持梁形の引手取付杆５の基部の左右両側に、スライダー胴体１の長手方向に肩口１０から後口１１にかけて中央部分が隆起する平行状の段部１９を上翼板２に設けたものであり、この段部１９を設置することによって、ダイカスト成形によるパーテイングラインと段部１９とを一致させるように成形することによって、パーテイングラインを隠蔽し目立たないように形成したスライダー胴体１である。
【００２２】
次に前記スライドファスナー用スライダーをダイカスト成形する成形金型について説明すると、図８および図１１に示すように成形金型は、スライダー胴体１の上面および下面を成形するための上型２０と下型２１とを上下方向で接離可能に配設するとともに、スライダー胴体１における案内柱４、ガイドフランジ７、ガイド溝８を成形するための第３スライドコア２４、第４スライドコア２５を前後方向に摺動可能に上型２０と下型２１との当接面に配設した成形金型である。
【００２３】
図１１に示すように、上型２０はスライダー胴体１の表面である上翼板２の上面の一部、および引手取付杆５の上面、そして図９に示すように第１スライドコア２２、第２スライドコア２３が摺動する摺動溝２８を刻設したキャビティ２６を設け、また下型２１は図１１に示すようにスライダー胴体１の裏面である下翼板３の下面、そして図１０に示すように第３スライドコア２４、第４スライドコア２５が摺動する摺動溝２９を刻設したキャビティ２７が設置されている。これら上型２０、下型２１は、下型２１が固定され上型２０が可動するタイプの成形金型であるが、この逆位置に配置しても差支えない。
【００２４】
上型２０の摺動溝２８を摺動し、スライダー胴体１に片持梁形に立設される引手取付杆５を成形する第１スライドコア２２と第２スライドコア２３は、引手取付杆５よりも厚さが薄い角柱から形成され、図９に示すように互いに先端が衝合し、第１スライドコア２２は引手取付杆５の基部を貫通する空洞部１２を成形するための突出片３０を中央に突設し、その両側に間隔をおいて空洞部１２の側壁１３を成形するための短板状の短片３１を突設し、全体が略山形状を呈するように形成されている。
【００２５】
第２スライドコア２３は、第１スライドコア２２と当接し引手取付杆５を成形するため、図９に示すようにコア主体の中央に前記突出片３０を嵌入する凹部３２を凹設し、その両側に前記短片３１に摺接し側壁１３の一部を成形する突片３３を設け、この突片３３の内側面には図７に示すように引手取付杆５の下面を成形する倒Ｄ字状すなわちかまぼこ状の膨出部３４が設けられ、この膨出部３４の基部に前記突出片３０の先端に当接し、かつ落込み段差のある凹陥部３５を設けて引手取付杆５の先端に垂下状の突部１４を成形する。
【００２６】
さらに図８に示すように、コア主体の下面には凹陥部３５の端面よりも突出し、かつ両側の膨出部３４にわたる横幅をもって、膨出部３４の略中間部分まで延設した断面が弧状を呈する凸条部３６を突設し、先端を第１スライドコア２２に配設した突出片３０の下面に潜行できるように形成して、上翼板２の上面に凹陥部１６を形成する。なお第２スライドコア２３に凸条部３６を設置することは自由である。
【００２７】
次に下型２１の摺動溝２９を摺動し、スライダー胴体１の案内柱４の前半部および上下翼板２、３のガイドフランジ７の内側、さらにガイド溝８を成形する第３スライドコア２４は、図１０に示すようにコア主体の中央に案内柱４の前半部を成形するＵ字状を呈する凹欠部３７を設け、その両側にガイド溝８およびガイドフランジ７の内側を成形する外面が傾斜する突片３８を突設して中央に凹部３９を凹設する。
【００２８】
一方第３スライドコア２４と衝合する第４スライドコア２５は、案内柱４の後半部およびガイド溝８、ガイドフランジ７の外側を成形するため、コア主体の中央に突出片４０を突設し、この突出片４０の先端に案内柱４の後半部を成形するＶ字状の凹欠部４１が形成され、かつ前記第３スライドコア２４の凹部３９に嵌入してガイド溝８を成形する。
【００２９】
突出片４０の両側には上下翼板２、３のガイドフランジ７の外側を成形するため、内向斜面を有する突片４２を突設し、先端を第３スライドコア２４の両側端に当接できるように形成して、スライダー胴体１におけるファスナーエレメントのガイド部分を成形する。
【００３０】
最後に図１２に示した成形金型は、図６に示すスライダー胴体１の上翼板２の上面に段部１９を成形するために用いるものであり、上型２０に刻設した凹形の摺動溝２８内を摺動する第１スライドコア２２、第２スライドコア２３との摺接面４３を摺動溝２８内で嵩上げして、スライダー胴体１の上翼板２上における長手方向に配設する段部１９を成形する。したがって上型２０と第１スライドコア２２、第２スライドコア２３とによって発生するパーテイングラインが段部１９と合致して形成されるため、パーテイングラインが目立たず隠蔽される。
【００３１】
また、上記実施例において、各スライドコアは別体として形成され、各々独自に可動されるように形成されているが、同方向に摺動する第１スライドコア２２と第３スライドコア２４および第２スライドコア２３と第４スライドコア２５とを一体のスライドコアとして形成してもよい。
【００３２】
【発明の効果】
この発明の引手後付けタイプのスライドファスナー用スライダーおよびその成形金型は、以上説明したとおりの構成であり、この構成によって下記の効果を奏する。
【００３３】
この発明のうち請求項１記載の発明は、上翼板と下翼板とを肩口で案内柱により連結し、上翼板の上面に片持梁形の引手取付杆を案内柱上面から後口に向けて突設し、引手取付杆の後口側が開放したダイカスト成形によるスライドファスナー用スライダーにおいて、引手取付杆の基部に長手方向に貫通する空洞部を設けたことにより、引手取付杆の基部を僅かな押圧力で容易に塑性変形させることができ、引手の取付けが簡便に行うことができる効果がある。
【００３４】
また空洞部は、引手取付杆の基部から先端の下面中央に突設した突部の基部に向けて設けたことにより、引手取付杆の先端下面に空洞部を利用して簡単に垂下状の突部を成形し、押圧時に引手取付杆の割れを防ぐことができる効果がある。さらに突部は空洞部の横幅と略同一幅で形成したことにより、引手取付杆へ引手の取付環をきわめてスムーズに嵌挿することができる効果がある。
【００３５】
また、突部と上翼板との間に空隙部を形成し、引手の取付環を空隙部から挿入して引手取付杆を押圧塑性変形可能に形成したことにより、引手の取付環を空隙部を利用して簡単に引手取付杆へ嵌挿することができ、しかも引手を後付け操作で胴体へ取り付けることができる。そのうえ胴体の表面、特に中央部分にパーテイングラインが現出しない美しいスライダーに仕上げることができる効果がある。
【００３６】
請求項２記載の発明は、スライダー胴体の上翼板の上面と片持梁形の引手取付杆の上面を成形するキャビティを刻設した上型と、下翼板の下面を成形するキャビティを刻設した下型とを接離可能に配し、上下型の間に引手取付杆の基部を貫通する空洞部と前面および側壁を成形する山形状の第１スライドコア、このスライドコアと当接し引手取付杆の下面を成形する凹形状の第２スライドコアを摺動可能に配設したことによってスライダー胴体の表面部分にパーテイングラインが現出されない斬新な体裁のよいスライダーを簡便に成形することができ、また塑性変形が容易な引手取付杆を簡単かつ容易に成形できる効果がある。
【００３７】
さらに第１スライドコア、第２スライドコアおよび上型と摺接し、また下型上を摺動し案内柱の前部、ガイド溝およびガイドフランジの内側を成形する凹形状の第３スライドコア、このスライドコアと当接し、案内柱の後部、ガイド溝およびガイドフランジの外側を成形する山形状の第４スライドコアを摺動可能に配したことによって、スライダーの主要な構成部であるファスナーエレメントガイド部分を、引手取付杆の成形部材と協働して的確かつ容易に成形することができる効果があるなど、この発明が奏する効果はきわめて顕著である。
【図面の簡単な説明】
【図１】引手後付けタイプのスライドファスナー用スライダーにおける胴体の斜視図である。
【図２】同上スライダー胴体の背面図である。
【図３】同上スライダー胴体の縦断面図である。
【図４】第２実施形態に基づくスライダー胴体の平面図である。
【図５】第３実施形態に基づくスライダー胴体の平面図である。
【図６】第４実施形態に基づくスライダー胴体の斜視図である。
【図７】引手取付杆を成形るるスライドコアの分解斜視図である。
【図８】スライドファスナー用スライダーの成形金型の縦断面図である。
【図９】図８に示した成形金型におけるＡ−Ａ断面図である。
【図１０】図８に示した成形金型におけるＢ−Ｂ断面図である。
【図１１】図８に示した成形金型におけるＣ−Ｃ断面図である。
【図１２】他の実施形態に基づく成形金型の横断面図である。
【符号の説明】
１        スライダー胴体
２        上翼板
３        下翼板
４        案内柱
５        引手取付杆
７        ガイドフランジ
８        ガイド溝
１０      肩口
１１      後口
１２      空洞部
１３      側壁
１４      突部
１５      空隙部
１６      凹陥部
１７      引手
１８      取付環
１９      段部
２０      上型
２１      下型
２２      第１スライドコア
２３      第２スライドコア
２４      第３スライドコア
２５      第４スライドコア
２６      キャビティ（上型）
２７      キャビティ（下型）
２８      摺動溝
３０      突出片
３１      短片
３４      膨出部
３５      凹陥部
３６      凸条部
４３      摺接面
【図１】
0003560118.tif 000002
【図２】
0003560118.tif 000003
【図３】
0003560118.tif 000004
【図４】
0003560118.tif 000005
【図５】
0003560118.tif 000006
【図６】
0003560118.tif 000007
【図７】
0003560118.tif 000008
【図８】
0003560118.tif 000009
【図９】
0003560118.tif 000010
【図１０】
0003560118.tif 000011
【図１１】
0003560118.tif 000012
【図１２】
0003560118.tif 000013